(57)【特許請求の範囲】
【請求項１】
スピーカを結合したキャビネットと、一端が上記スピーカに接続されて上記キャビネット外へ引き出されると共に他端にコネクタを備えた接続用コードから成り、この接続用コードの他端に接合されたコネクタを収納する凹部と外へ引き出された上記接続用コードを引き廻して引掛けるための突起を上記キャビネットの外壁に設け、上記引き出された上記接続用コードを上記突起に引掛け、上記他端に接合されたコネクタを上記凹部に収納する構成としたスピーカ装置。
【発明の詳細な説明】
【０００１】
【産業上の利用分野】
本発明はテレビジョン受像機などの映像機器や車載用音響機器に利用されるスピーカ装置に関するものである。
【０００２】
【従来の技術】
以下に図面を参照しながらこの種の従来のスピーカ装置について説明する。
【０００３】
図５は従来のスピーカ装置の構成を示す斜視図であり、図５において、１はスピーカ、２はこのスピーカ１が結合されたバッフル、３はこのバッフル２の背面に結合されたキャビネット、４は上記スピーカ１の端子に一端が接続され、上記キャビネット３から外部へ引き出された接続用コード、５はこの接続用コード４の他端に接続されたコネクタである。
【０００４】
以上のように構成された従来のスピーカ装置は、映像機器などに組み込まれ、接続用コード４の先端のコネクタ５を機器本体に接続して使用されるものであった。
【０００５】
【発明が解決しようとする課題】
しかしながら上記従来の構成では、コネクタ５を備えた接続用コード４が輸送途上において包装箱内部で自由に動いてしまうので、コネクタ５の破損、接続用コード４の断線、キャビネット３への接触による外観不良などが生じる恐れがあるという課題を有していた。
【０００６】
また、包装工程においては接続用コード４がフリーな状態であるために作業効率の低下が生じると共に、接続用コード４の長さが規定の範囲内にあるかどうかも同時に検査をしなければならず、生産性が悪いという課題をも有したものであった。
【０００７】
本発明は上記従来の問題点を解決するもので、品質と生産性を同時に向上することが可能なスピーカ装置を提供することを目的とするものである。
【０００８】
【課題を解決するための手段】
この課題を解決するために本発明のスピーカ装置は、スピーカを結合したキャビネットの外壁に凹部を設け、この凹部に一端が上記スピーカに接続されて上記キャビネット外へ引き出された接続用コードの他端に接合されたコネクタを収納するとともに、上記キャビネット外へ引き出された接続用コードを引き廻して引掛けるための突起を上記キャビネットの外壁に設け、上記引き出された上記接続用コードを上記突起に引掛け、上記他端に接合されたコネクタを上記凹部に収納する構成としたものである。
【０００９】
【作用】
この構成によって、コネクタをキャビネットの外壁に設けた凹部に収納することができるようになり、輸送途上におけるコネクタの破損、接続用コードの断線、キャビネットへの接触による外観不良などを未然に防止することができるとともに、接続用コードを引き廻して引掛けるための突起を設けたことで、接続コードのたるみや不足を極めて容易に確認できて、接続コードの長さのばらつきを検出できるものである。
【００１０】
【実施例】
発明に至る改善例
まず、本発明の実施例を説明する前に、本発明に至る改善例について図１、図２を参照しながら説明する。
【００１１】
図１は改善例によるスピーカ装置の構成を示す斜視図であり、上記従来例で説明した図５のスピーカ装置と同じ構成の部品には同一符号を付与する。
【００１２】
図１において、１はスピーカ、２はこのスピーカ１が結合されたバッフル、３Ａはこのバッフル２の背面に結合されたキャビネット、４は上記スピーカ１の端子に一端が接続され、上記キャビネット３Ａから外部へ引き出された接続用コード、５はこの接続用コード４の他端に接合されたコネクタ、６は上記キャビネット３Ａの外壁に設けられたコネクタ５を収納するための凹部である。
【００１３】
以上のように構成された本改善例のスピーカ装置は、図２に示すように接続用コード４の他端に接合されたコネクタ５を、キャビネット３Ａの外壁に設けられた凹部６にはめ込んで収納することによりコネクタ５が確実に保持され、輸送途上におけるコネクタ５の破損、接続用コード４の断線、キャビネット３Ａへの接触による外観不良などを未然に防止することができるという優れた効果が得られる。
【００１４】
さらに、包装工程において作業の効率化、また、コネクタ５が大きくなることに伴い凹部６を大きくすると、キャビネット３Ａの剛性が増すという利点も生じてくる。
【００１５】
（実施例１）
以下、本発明の第１の実施例について図面を参照しながら説明する。
【００１６】
図３は同実施例によるスピーカ装置の構成を示す斜視図であり、図３において７はキャビネット３Ａに設けられた接続用コード４を引き廻して引掛けるための突起であり、これ以外は上記改善例の構成と同様のものであり、上記改善例の図１の構成と異なるのは接続用コード４を突起７に引掛けて使用する点のみである。
【００１７】
以上のように本実施例によれば、突起７の位置を接続用コード４の長さによって決定してしまえば、規定以上の長さを有した接続用コード４なら、第１の実施例の凹部６にコネクタ５を収納できるが、それ以下の長さだと凹部６までコネクタ５が届かず収納できなくなり、また逆に長すぎるとたるみが発生するために突起７に接続用コード４を引掛け、コネクタ５を凹部６に収納するだけで接続用コード４の長さを検査できる。従って、接続用コード４の長さを検査するという工程を省略することができる。
【００１８】
展開例
以下、上述した改善例および本発明の実施例に用いられる展開例について図４を参照しながら説明する。
【００１９】
図４は展開例によるスピーカ装置の構造を示すもので、キャビネット３Ａに設けた凹部６の詳細図である。
【００２０】
図４において８は凹部６の内壁に設けた突起部であり、上記実施例１の図１の構成と異なるのはキャビネット３Ａに設けた凹部６にはめ込むコネクタ５を突起部８によってより確実に固定する点である。
【００２１】
以上のように本展開例によれば、コネクタ５を凹部６に収納する際、突起部８があることにより上記コネクタ５をより確実に固定することができるので、輸送途上におけるコネクタ５の脱落防止を図ることができる。
【００２２】
【発明の効果】
以上のように本発明は、スピーカを内蔵したキャビネットから引き出された接続用コードとこの先端に接続されたコネクタをキャビネットの凹部内に収納することができるようになり、梱包して輸送中にコネクタが移動してキャビネットに当たるなどの外観不良による品質低下を改善することができるとともに、キャビネットの外壁に設けた突起によって、接続用コードのばらつきを極めて容易に検出できる優れたスピーカ装置を実現できるものである。
【図面の簡単な説明】
【図１】本発明に至る改善例におけるスピーカ装置の構成を示した斜視図
【図２】同改善例によるコネクタを収納した状態の斜視図
【図３】本発明の第１の実施例におけるスピーカ装置の構成を示した斜視図
【図４】同展開例における凹部の詳細図
【図５】従来のスピーカ装置の構成を示した斜視図
【符号の説明】
１  スピーカ
２  バッフル
３Ａ  キャビネット
４  接続用コード
５  コネクタ
６  凹部
７  突起
８  突起部
【図１】
0003552288.tif 000002
【図２】
0003552288.tif 000003
【図３】
0003552288.tif 000004
【図４】
0003552288.tif 000005
【図５】
0003552288.tif 000006